(57)【要約】      （修正有）【課題】照明範囲が広く、低消費電力の円弧形のＬＥＤランプを提供する。【解決手段】ランプホルダ１０、放熱ユニット２０、回路基板３０、および、ランプカバ４０を備える。ランプホルダ１０は、底部１１を有する。放熱ユニット２０は、長い円弧形の側辺を有し、ランプホルダ１０に装着されており、ランプホルダ１０の底部１１とは反対側に突出しており、両端より中央部がランプホルダ１０の底部１１から離れている。回路基板３０は、円弧形であり、回路および複数のＬＥＤ３１を有し、放熱ユニット２０の側辺に沿って装着されている。ランプカバ４０は、円弧形であり、ランプホルダ１０に被さる。【選択図】図１
0003185437.tif 000002
【実用新案登録請求の範囲】
【請求項１】
ランプホルダ、放熱ユニット、回路基板、および、ランプカバを備え、
前記ランプホルダは、底部を有し、
前記放熱ユニットは、長い円弧形の側辺を有し、前記ランプホルダに装着されており、前記ランプホルダの前記底部とは反対側に突出しており、両端より中央部が前記ランプホルダの前記底部から離れており、
前記回路基板は、円弧形であり、回路および複数のＬＥＤを有し、前記放熱ユニットの前記側辺に沿って装着されており、
前記ランプカバは、円弧形であり、前記ランプホルダに被さることを特徴とするＬＥＤランプ。
【請求項２】
前記回路基板は、中央より両端のＬＥＤが密度高く配置されていることを特徴とする請求項１に記載のＬＥＤランプ。
【請求項３】
前記回路基板は、側辺に複数のスリットが形成されていることを特徴とする請求項１に記載のＬＥＤランプ。
【請求項４】
前記ランプホルダは、前記底部の両端に端部が設けられており、二つの前記端部と前記底部との間の角度が９０度以上であることを特徴とする請求項１に記載のＬＥＤランプ。
【請求項５】
前記放熱ユニットは、複数のヒートシンクから構成されていることを特徴とする請求項１に記載のＬＥＤランプ。
【請求項６】
前記放熱ユニットは、一つのヒートシンクから構成されていることを特徴とする請求項１に記載のＬＥＤランプ。
【請求項７】
前記放熱ユニットは、二つの長辺、および、前記長辺より短い二つの短辺を有し、前記長辺が円弧形であり、両端より中央が前記ランプホルダの前記底部から離れていることを特徴とする請求項１に記載のＬＥＤランプ。
【考案の詳細な説明】
【技術分野】
【０００１】
本考案は、ＬＥＤランプに関し、詳しくは円弧形のＬＥＤランプに関するものである。
【背景技術】
【０００２】
図５に示すように、従来の蛍光灯Ａは、直管形であり、光の向きが下向きであり、単位面積あたりの輝度が制限される。従って、蛍光灯の照明範囲はランプの長さに関係があり、照明の輝度は蛍光灯のワット数に関係がある。照明範囲が広くて輝度が大きいエリアが求められる際、長さおよびワット数が大きい蛍光灯、即ち１．２メートルまたは１．２メートル以上の蛍光灯が必要である。しかしながら、環境保護意識の向上に伴ってＬＥＤが蛍光灯の代わりとなるようになった。一方、ＬＥＤランプの形を蛍光灯と同じ直管形にする場合、同じ照明範囲および輝度を維持するには、非常に長いアルミニウム製ランプホルダ本体が必要である。放熱ユニット、回路基板およびＬＥＤなどの付属品を上述したランプホルダ本体に取り付ける必要があるため、多くの材料および空間が浪費される。実際、所定の入射角を有するＬＥＤの特性に基づけば、それほど大きな空間が必要としない。
【考案の概要】
【考案が解決しようとする課題】
【０００３】
本考案は、上述した問題に鑑みてなされたものであり、円弧形のＬＥＤランプを提供することを目的とする。
【課題を解決するための手段】
【０００４】
上述の目的を達成するために、本考案によるＬＥＤランプは、ランプホルダ、回路基板およびランプカバを備える。ランプホルダは、円弧形の放熱ユニットを有する。回路基板は、放熱ユニットに装着され、かつ複数のＬＥＤを有する。ランプカバはランプホルダに被さる。
【図面の簡単な説明】
【０００５】
【図１】本考案の一実施形態によるＬＥＤランプを示す分解図である。
【図２】本考案の一実施形態によるＬＥＤランプを示す側面図である。
【図３】本考案の一実施形態によるＬＥＤランプの回路基板およびＬＥＤを示す平面図である。
【図４】本考案の他の実施形態によるＬＥＤランプの回路基板およびＬＥＤを示す平面図である。
【図５】従来の蛍光灯を示す模式図である。
【図６】本考案の一実施形態によるＬＥＤランプの応用例を示す模式図である。
【考案を実施するための形態】
【０００６】
（一実施形態）
以下、本考案の一実施形態によるＬＥＤランプを図面に基づいて説明する。
図１から図３に示すように、本考案の一実施形態によるＬＥＤランプは、ランプホルダ１０、放熱ユニット２０、回路基板３０およびランプカバ４０を備える。
【０００７】
ランプホルダ１０は、底部１１と、底部１１の両端に配置された端部１２とを有する。端部１２と底部１１との間の角度は９０度以上である。
【０００８】
放熱ユニット２０は、円弧形であり、複数のヒートシンクまたは単一のヒートシンクから構成される。放熱ユニット２０は二つの長辺および二つの短い側辺を有する細長い形である。放熱ユニット２０の二つの長辺は円弧形を呈する。放熱ユニット２０はランプホルダ１０に装着され、かつランプホルダ１０の底部１１とは反対側に突出するため、両端が底部１１に近く、中央が底部１１から遠く離れる。
【０００９】
回路基板３０は、駆動装置（図中未表示）に接続され、かつ回路および複数のＬＥＤ３１を有する。回路基板３０は放熱ユニット２０の円弧形の側辺に装着される。また回路基板３０は放熱ユニット２０の円弧形の側辺に沿って装着されるため、円弧形を呈する。回路基板３０を円弧形に湾曲させる際、軟性回路基板または薄型回路基板を使用すればよい。または、図４に示す他の実施形態のように回路基板３０の二つの長辺に複数のスリット３２を配置すれば、回路基板３０は柔らかくなり、湾曲しやすくなるため、放熱ユニット２０の形に対応することができる。
【００１０】
ランプカバ４０は、ランプホルダ１０に被さり、両端がランプホルダ１０の二つの端部１２に接続され、かつ放熱ユニット２０および回路基板３０の形に対応するように円弧形を呈する。
【００１１】
図３に示すように、ＬＥＤ照明の光線および輝度を均質化する際、回路基板３０の中央に位置するＬＥＤ３１を減らし、両端に位置するＬＥＤ３１を増やせばよい。回路基板３０を三つの部位に分割してみると、両端のＬＥＤの配置密度が中央のＬＥＤの配置密度より高いため、両端のＬＥＤは比較的多く、両端から外部へ拡散する光線を補強することができる。
【００１２】
本考案の構造により、ランプが発光する際、光線は下向きでなく、本考案により提示された細長い円弧状に放出されるため、ＬＥＤランプ、特に両端のＬＥＤランプが発光して生じた光線は広く拡散することできる。外部へ光線を円弧形に拡散させる照射範囲に対応するために、ランプホルダ１０の二つの端部１２は斜面に形成され、二つの端部１２と底部１１との角度は９０度以上である。
【００１３】
図６に示すように、本考案による２０ｃｍのＬＥＤランプを高さが１．２ｍの位置に配置すれば、照射範囲が１．２ｍの蛍光灯の照射範囲と同じであるため、ランプの配置空間を大幅に減らし、消費電力を低減することができる。
【符号の説明】
【００１４】
１０：ランプホルダ、
１１：底部、
１２：端部、
２０：放熱ユニット、
３０：回路基板、
３１：ＬＥＤ、
３２：スリット、
４０：ランプカバ、
Ａ：蛍光灯。
【図１】
0003185437.tif 000003
【図２】
0003185437.tif 000004
【図３】
0003185437.tif 000005
【図４】
0003185437.tif 000006
【図５】
0003185437.tif 000007
【図６】
0003185437.tif 000008